(57)【要約】【課題】ＢｌｕｅｔｏｏｔｈやＲＦＩＤ等の微弱電波を発信する発信機や赤外線を発信する発信機や画像を撮影するカメラ等の電気機器を室内に導入すると、コストが高くなってしまう。本発明は、このような問題点を解決することを課題とする。【解決手段】照明装置の蛍光ランプを点灯させるための電流が発生させる磁界からエネルギーを取得して、ＢｌｕｅｔｏｏｔｈやＲＦＩＤ等の微弱電波を発信する発信機や赤外線を発信する発信機や画像を撮影するカメラ等の電気機器を駆動させる。【選択図】図１
2007074849.tif 000002
【特許請求の範囲】
【請求項１】
照明装置から電力を取得する電源回路であって、
前記照明装置の蛍光ランプを点灯するための電流によって発生する磁界を利用して電力を取得する電力取得部を有することを特徴とする電源回路。
【請求項２】
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする請求項１に記載の電源回路。
【請求項３】
前記電力取得部がコイルであることを特徴とする請求項１に記載の電源回路。
【請求項４】
前記電力取得部が、磁性体とこの磁性体に巻かれたコイルとを有することを特徴とする請求項１に記載の電源回路。
【請求項５】
前記磁性体がリング状であることを特徴とする請求項４に記載の電源回路。
【請求項６】
前記磁性体は、前記蛍光ランプのガラス管を取り囲むように取り付けられることを特徴とする請求項４に記載の電源回路。
【請求項７】
前記磁性体は、前記蛍光ランプを点灯させるための電流を供給する電線を取り囲むように取り付けられることを特徴とする請求項４に記載の電源回路。
【請求項８】
前記磁性体が複数の磁性体から構成されていることを特徴とする請求項４に記載の電源回路。
【請求項９】
前記電力取得部から供給された交流電圧を直流電圧に整流する整流部を有することを特徴とする請求項１に記載の電源回路。
【請求項１０】
前記整流部から供給された直流電圧を、所定の電圧に変換する電圧変換部を有していることを特徴とする請求項９に記載の電源回路。
【請求項１１】
前記電力取得部から供給された電力を保持しておく蓄電部を有していることを特徴とする請求項１に記載の電源回路。
【請求項１２】
前記整流部と前記電圧変換部との間に、前記整流部が出力する直流電圧を所定の値の電圧に制限する電圧制限部を有することを特徴とする請求項９に記載の電源回路。
【請求項１３】
前記電圧制限部は、ツェナーダイオードによって構成されていることを特徴とする請求項１２に記載の電源回路。
【請求項１４】
前記電圧変換部は、所定の電圧よりも低い電圧が入力された場合にはその所定の電圧に昇圧し、所定の電圧よりも高い電圧が入力された場合にはその所定の電圧に降圧することを特徴とする請求項１０に記載の電源回路。
【請求項１５】
前記電圧変換部が、前記整流部からの直流電圧を降圧する構成である場合、
前記電力取得部は、前記整流部が前記電圧変換部に供給する交流電圧が、前記電圧変換部の出力電圧よりも高い電圧になるように調整して、前記整流部に建立電圧を出力することを特徴とする請求項１０に記載の電源回路。
【請求項１６】
前記蛍光ランプが消灯したことを検出する消灯検出部と、
前記消灯検出部が前記蛍光ランプが消灯したことを検出すると、前記蓄電部に保持されている電力を放出させる放電部と
を有することを特徴とする請求項１１に記載の電源回路。
【請求項１７】
前記消灯検出部は、前記電力取得部の出力電圧を監視し、該出力電圧が所定の電圧よりも低くなった場合に前記蛍光ランプが消灯したと判断することを特徴とする請求項１６に記載の電源回路。
【請求項１８】
前記消灯検出部は、前記整流部の出力電圧を監視し、その出力電圧が所定の電圧よりも低くなった場合に前記蛍光ランプが消灯したと判断することを特徴とする請求項１６に記載の電源回路。
【請求項１９】
前記消灯検出部は、前記電圧変換部の出力電圧を監視し、その出力電圧が所定の電圧よりも低くなった場合に前記蛍光ランプが消灯したと判断することを特徴とする請求項１６に記載の電源回路。
【請求項２０】
前記蛍光ランプが消灯したことを検出する消灯検出部を有し、
前記蓄電部は、前記消灯検出部が前記蛍光ランプが消灯したことを検出すると、蓄電された電力の供給を開始すること
を特徴とする請求項１１に記載の電源回路。
【請求項２１】
所定のセンサ情報を検出すると、前記蓄電部から外部機器への電力供給を開始させる給電制御部を有することを特徴とする請求項１１に記載の電源回路。
【請求項２２】
所定のセンサ情報を検出した場合、もしくは所定の時間ごとに、前記蓄電部から外部機器への電力供給を開始させる給電制御部を有することを特徴とする請求項１１に記載の電源回路。
【請求項２３】
前記センサ情報が、人が存在するか否かの情報であることを特徴とする請求項２１に記載の電源回路。
【請求項２４】
照明システムであって、
照明装置と、
前記照明装置の蛍光ランプを点灯するための電流によって発生する磁界を利用して電力を取得する電力取得部と
を有することを特徴とする照明システム。
【請求項２５】
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする請求項２４に記載の照明システム。
【請求項２６】
前記電力取得部がコイルであることを特徴とする請求項２４に記載の照明システム。
【請求項２７】
前記電力取得部が、磁性体とこの磁性体に巻かれたコイルとから構成されていることを特徴とする請求項２４に記載の照明システム。
【請求項２８】
前記磁性体がリング状であることを特徴とする請求項２７に記載の照明システム。
【請求項２９】
前記磁性体は、前記蛍光ランプのガラス管を取り囲むように取り付けられることを特徴とする請求項２７に記載の照明システム。
【請求項３０】
前記磁性体は、前記蛍光ランプを点灯させるための電流を供給する電線を取り囲むように取り付けられることを特徴とする請求項２７に記載の照明システム。
【請求項３１】
前記磁性体が複数の磁性体から構成されていることを特徴とする請求項２７に記載の照明システム。
【請求項３２】
前記電力取得部から供給された交流電圧を直流電圧に整流する整流部を有することを特徴とする請求項２４に記載の照明システム。
【請求項３３】
前記整流部から供給された直流電圧を、所定の電圧に変換する電圧変換部を有していることを特徴とする請求項３２に記載の照明システム。
【請求項３４】
前記電力取得部から供給された電力を保持しておく蓄電部を有していることを特徴とする請求項２４に記載の照明システム。
【請求項３５】
前記整流部と前記電圧変換部との間に、前記整流部が出力する直流電圧を所定の値の電圧に制限する電圧制限部を有することを特徴とする請求項３２に記載の照明システム。
【請求項３６】
前記電圧制限部は、ツェナーダイオードによって構成されていることを特徴とする請求項３５に記載の照明システム。
【請求項３７】
前記電圧変換部は、所定の電圧よりも低い電圧が入力された場合にはその所定の電圧に昇圧し、所定の電圧よりも高い電圧が入力された場合にはその所定の電圧に降圧することを特徴とする請求項３３に記載の照明システム。
【請求項３８】
前記電圧変換部が、前記整流部からの直流電圧を降圧する構成である場合、
前記電力取得部は、前記整流部が前記電圧変換部に供給する交流電圧が、前記電圧変換部の出力電圧よりも高い電圧になるように調整して、前記整流部に建立電圧を出力することを特徴とする請求項３３に記載の照明システム。
【請求項３９】
前記蛍光ランプが消灯したことを検出する消灯検出部と、
前記消灯検出部が前記蛍光ランプが消灯したことを検出すると、前記蓄電部に保持されている電力を放出させる放電部と
を有することを特徴とする請求項３４に記載の照明システム。
【請求項４０】
前記消灯検出部は、前記電力取得部の出力電圧を監視し、該出力電圧が所定の電圧よりも低くなった場合に前記蛍光ランプが消灯したと判断することを特徴とする請求項３９に記載の照明システム。
【請求項４１】
前記消灯検出部は、前記整流部の出力電圧を監視し、その出力電圧が所定の電圧よりも低くなった場合に前記蛍光ランプが消灯したと判断することを特徴とする請求項３９に記載の照明システム。
【請求項４２】
前記消灯検出部は、前記電圧変換部の出力電圧を監視し、その出力電圧が所定の電圧よりも低くなった場合に前記蛍光ランプが消灯したと判断することを特徴とする請求項３９に記載の照明システム。
【請求項４３】
前記蛍光ランプが消灯したことを検出する消灯検出部を有し、
前記蓄電部は、前記消灯検出部が前記蛍光ランプが消灯したことを検出すると、蓄電された電力の供給を開始すること
を特徴とする請求項３４に記載の照明システム。
【請求項４４】
所定のセンサ情報を検出すると、前記蓄電部から外部機器への電力供給を開始させる給電制御部を有することを特徴とする請求項３４に記載の照明システム。
【請求項４５】
所定のセンサ情報を検出した場合、もしくは所定の時間ごとに、前記蓄電部から外部機器への電力供給を開始させる給電制御部を有することを特徴とする請求項３４に記載の照明システム。
【請求項４６】
前記センサ情報が、人が存在するか否かの情報であることを特徴とする請求項４４に記載の照明システム。
【請求項４７】
前記電源取得部から供給される電力を用いて撮影する撮影部と、
前記電源取得部から供給される電力を用いて、前記撮影された画像データを送信する無線部と
を有することを特徴とする請求項２３に記載の照明システム。
【請求項４８】
前記電源取得部から供給される電力を用いて撮影する撮影部と、
前記撮影された画像データが格納される格納部と、
前記電源取得部から供給される電力を用いて、前記格納部の画像データを送信する無線部と
を有することを特徴とする請求項２３に記載の照明システム。
【請求項４９】
前記送信された画像データを監視サーバに送信する無線基地局と、
前記該無線基地局からの画像データを蓄積するサーバと
を有することを特徴とする請求項４７に記載の照明システム。
【請求項５０】
電源回路であって、
蛍光ランプを点灯するための電流が発生する磁界を利用して電力を取得する電力取得部と、
前記取得した電力を用いて信号を発信する発信機を接続するインターフェースと
を有することを特徴とする電源回路。
【請求項５１】
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする請求項５０に記載の電源回路。
【請求項５２】
照明システムであって、
照明装置と、
前記照明装置の蛍光ランプを点灯するための電流が発生する磁界を利用して電力を取得する電力取得部と、
前記取得した電力を用いて動作する電気機器を接続するためのインターフェースと
を有することを特徴とする照明システム。
【請求項５３】
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする請求項５２に記載の照明システム。
【発明の詳細な説明】
【技術分野】
【０００１】
本発明は、電源回路に関し、特に照明装置から電力を取得する電源回路の技術に関する。
【背景技術】
【０００２】
屋内において、高精度に端末の位置を特定するための技術が注目されている。具体的には企業や店舗等が設定する無線ＬＡＮ(Ｌｏｃａｌ Ａｒｅａ Ｎｅｔｗｏｒｋ)の信号を用いる技術や、Ｂｌｕｅｔｏｏｔｈ(ブルートゥース)やＲＦＩＤ(Ｒａｄｉｏ Ｆｒｅｑｕｅｎｃｙ Ｉｄｅｎｔｉｆｉｃａｔｉｏｎ)などを用いる位置特定技術が知られている。【０００３】
しかし、無線ＬＡＮを用いて高精度に端末の位置を特定するためには、３つ以上の無線ＬＡＮ基地局からの信号が受信できる必要があり、何の設計もなされず、適当な位置に基地局が設置されることの多い無線ＬＡＮでは、３つ以上の無線ＬＡＮ基地局からの信号が受信できる保証がない。【０００４】
ＢｌｕｅｔｏｏｔｈやＲＦＩＤ等の微弱電波を発信する発信機や赤外線を発信する発信機を用いた端末の位置特定の場合、端末側は微弱電波や赤外線の受信機能を有している。端末が微弱電波や赤外線を受信した場合、その微弱電波あるいは赤外線を発信している発信機の位置を端末の位置とする。従って、微弱電波や赤外線の到達距離が測位精度となり、ピンポイントでの測位が可能になるが、発信機を壁や天井に数多く配置する必要がある。【０００５】
壁や天井に配置する発信機には、給電が必要である。給電方法の一つとしては、発信機駆動用直流電源を供給するための電源配線工事を行う方法が考えられる。【０００６】
また別の方法としては、天井や壁などに設置される発信機ごとに交流-直流変換装置を設置し、発信機が設置される場所にすでに配線されている交流電源線を分岐させ交流-直流変換装置に入力する方法が考えられる。
【発明の開示】
【発明が解決しようとする課題】
【０００７】
上記の二つの方法は、電源配線を用いて発信機に対して直接電力を供給する方法であるが、コイルを利用し、磁界を介して電力を供給することで、非接触で電力を供給することも可能である。【０００８】
この場合は、すでに配線されている交流電源ラインから交流電源線を引き回し、発信機が設置される場所ごとに周期的に変化する磁界を発生させる一次側コイルを内蔵した磁界発生装置を設置する。発信機内部には二次側コイルが設けられており、一次側コイルが発生させる磁界内に発信機を設置することで、二次側コイルに発生した誘導起電力を用いて発信機を駆動する方法が考えられる。【０００９】
本発明が解決しようとする課題は、ＢｌｕｅｔｏｏｔｈやＲＦＩＤ等の微弱電波を発信する発信機あるいは赤外線を発信する発信機などを設置する際の設置コストが高いことである。【００１０】
その理由は、ＢｌｕｅｔｏｏｔｈやＲＦＩＤ等の微弱電波を発信する発信機や赤外線を発信する発信機を設置するためには、電源の確保の目的で直流電源線を配線したり、交流電源線を引き回して交流-直流変換装置や磁界発生装置を設置したりする必要があるためである。【００１１】
そこで、本発明が解決しようとする課題は、屋内において低コストで利用可能な電源装置を提供することにある。
【課題を解決するための手段】
【００１２】
上記課題を解決するための第１の発明は、
照明装置から電力を取得する電源回路であって、
前記照明装置の蛍光ランプを点灯するための電流によって発生する磁界を利用して電力を取得する電力取得部を有することを特徴とする。【００１３】
上記課題を解決するための第２の発明は、上記第１の発明において、
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする。【００１４】
上記課題を解決するための第２の発明は、上記第１又は第２の発明において、
前記電力取得部がコイルであることを特徴とする。【００１５】
上記課題を解決するための第４の発明は、上記第１から第３のいずれかの発明において、
前記電力取得部が、磁性体とこの磁性体に巻かれたコイルとを有することを特徴とする。【００１６】
上記課題を解決するための第５の発明は、上記第４の発明において、
前記磁性体がリング状であることを特徴とする。【００１７】
上記課題を解決するための第６の発明は、上記第４又は第５の発明において、
前記磁性体は、前記蛍光ランプのガラス管を取り囲むように取り付けられることを特徴とする。【００１８】
上記課題を解決するための第７の発明は、上記第４又は第５の発明において、
前記磁性体は、前記蛍光ランプを点灯させるための電流を供給する電線を取り囲むように取り付けられることを特徴とする。【００１９】
上記課題を解決するための第８の発明は、上記第４から第７のいずれかの発明において、
前記磁性体が複数の磁性体から構成されていることを特徴とする。【００２０】
上記課題を解決するための第９の発明は、上記第１から第８のいずれかの発明において、
前記電力取得部から供給された交流電圧を直流電圧に整流する整流部を有することを特徴とする。【００２１】
上記課題を解決するための第１０の発明は、上記第９の発明において、
前記整流部から供給された直流電圧を、所定の電圧に変換する電圧変換部を有していることを特徴とする。【００２２】
上記課題を解決するための第１１の発明は、上記第１から第１０のいずれかの発明において、
前記電力取得部から供給された電力を保持しておく蓄電部を有していることを特徴とする。【００２３】
上記課題を解決するための第１２の発明は、上記第９から第１１のいずれかの発明において、
前記整流部と前記電圧変換部との間に、前記整流部が出力する直流電圧を所定の値の電圧に制限する電圧制限部を有することを特徴とする。【００２４】
上記課題を解決するための第１３の発明は、上記第１２の発明において、
前記電圧制限部は、ツェナーダイオードによって構成されていることを特徴とする。【００２５】
上記課題を解決するための第１４の発明は、上記第１０から第１３のいずれかの発明において、
前記電圧変換部は、所定の電圧よりも低い電圧が入力された場合にはその所定の電圧に昇圧し、所定の電圧よりも高い電圧が入力された場合にはその所定の電圧に降圧することを特徴とする。【００２６】
上記課題を解決するための第１５の発明は、上記第１０から第１４のいずれかの発明において、
前記電圧変換部が、前記整流部からの直流電圧を降圧する構成である場合、
前記電力取得部は、前記整流部が前記電圧変換部に供給する交流電圧が、前記電圧変換部の出力電圧よりも高い電圧になるように調整して、前記整流部に建立電圧を出力することを特徴とする。【００２７】
上記課題を解決するための第１６の発明は、上記第１１から第１５のいずれかの発明において、
前記蛍光ランプが消灯したことを検出する消灯検出部と、
前記消灯検出部が前記蛍光ランプが消灯したことを検出すると、前記蓄電部に保持されている電力を放出させる放電部と
を有することを特徴とする。【００２８】
上記課題を解決するための第１７の発明は、上記第１６の発明において、
前記消灯検出部は、前記電力取得部の出力電圧を監視し、該出力電圧が所定の電圧よりも低くなった場合に前記蛍光ランプが消灯したと判断することを特徴とする。【００２９】
上記課題を解決するための第１８の発明は、上記第１６の発明において、
前記消灯検出部は、前記整流部の出力電圧を監視し、その出力電圧が所定の電圧よりも低くなった場合に前記蛍光ランプが消灯したと判断することを特徴とする。【００３０】
上記課題を解決するための第１９の発明は、上記第１６の発明において、
前記消灯検出部は、前記電圧変換部の出力電圧を監視し、その出力電圧が所定の電圧よりも低くなった場合に前記蛍光ランプが消灯したと判断することを特徴とする。【００３１】
上記課題を解決するための第２０の発明は、上記第１１から第１５のいずれかの発明において、
前記蛍光ランプが消灯したことを検出する消灯検出部を有し、
前記蓄電部は、前記消灯検出部が前記蛍光ランプが消灯したことを検出すると、蓄電された電力の供給を開始すること
を特徴とする。【００３２】
上記課題を解決するための第２１の発明は、上記第１１の発明において、
所定のセンサ情報を検出すると、前記蓄電部から外部機器への電力供給を開始させる給電制御部を有することを特徴とする。【００３３】
上記課題を解決するための第２２の発明は、上記第１１の発明において、
所定のセンサ情報を検出した場合、もしくは所定の時間ごとに、前記蓄電部から外部機器への電力供給を開始させる給電制御部を有することを特徴とする。【００３４】
上記課題を解決するための第２３の発明は、上記第２１又は第２２の発明において、
前記センサ情報が、人が存在するか否かの情報であることを特徴とする。【００３５】
上記課題を解決するための第２４の発明は、
照明システムであって、
照明装置と、
前記照明装置の蛍光ランプを点灯するための電流によって発生する磁界を利用して電力を取得する電力取得部と
を有することを特徴とする。【００３６】
上記課題を解決するための第２５の発明は、上記第２４の発明において、
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする。【００３７】
上記課題を解決するための第２６の発明は、上記第２４又は第２５の発明において、
前記電力取得部がコイルであることを特徴とする。【００３８】
上記課題を解決するための第２７の発明は、上記第２４から第２６のいずれかの発明において、
前記電力取得部が、磁性体とこの磁性体に巻かれたコイルとから構成されていることを特徴とする。【００３９】
上記課題を解決するための第２８の発明は、上記第２７の発明において、
前記磁性体がリング状であることを特徴とする。【００４０】
上記課題を解決するための第２９の発明は、上記第２７又は第２８の発明において、
前記磁性体は、前記蛍光ランプのガラス管を取り囲むように取り付けられることを特徴とする。【００４１】
上記課題を解決するための第３０の発明は、上記第２７又は第２８の発明において、
前記磁性体は、前記蛍光ランプを点灯させるための電流を供給する電線を取り囲むように取り付けられることを特徴とする。【００４２】
上記課題を解決するための第３１の発明は、上記第２７から第３０のいずれかの発明において、
前記磁性体が複数の磁性体から構成されていることを特徴とする。【００４３】
上記課題を解決するための第３２の発明は、上記第２４から第３１のいずれかの発明において、
前記電力取得部から供給された交流電圧を直流電圧に整流する整流部を有することを特徴とする。【００４４】
上記課題を解決するための第３３の発明は、上記第３２の発明において、
前記整流部から供給された直流電圧を、所定の電圧に変換する電圧変換部を有していることを特徴とする。【００４５】
上記課題を解決するための第３４の発明は、上記第２４から第３３のいずれかの発明において、
前記電力取得部から供給された電力を保持しておく蓄電部を有していることを特徴とする。【００４６】
上記課題を解決するための第３５の発明は、上記第３２から第３４のいずれかの発明において、
前記整流部と前記電圧変換部との間に、前記整流部が出力する直流電圧を所定の値の電圧に制限する電圧制限部を有することを特徴とする。【００４７】
上記課題を解決するための第３６の発明は、上記第３５の発明において、
前記電圧制限部は、ツェナーダイオードによって構成されていることを特徴とする。【００４８】
上記課題を解決するための第３７の発明は、上記第３３から第３６のいずれかの発明において、
前記電圧変換部は、所定の電圧よりも低い電圧が入力された場合にはその所定の電圧に昇圧し、所定の電圧よりも高い電圧が入力された場合にはその所定の電圧に降圧することを特徴とする。【００４９】
上記課題を解決するための第３８の発明は、上記第３３から第３７のいずれかの発明において、
前記電圧変換部が、前記整流部からの直流電圧を降圧する構成である場合、
前記電力取得部は、前記整流部が前記電圧変換部に供給する交流電圧が、前記電圧変換部の出力電圧よりも高い電圧になるように調整して、前記整流部に建立電圧を出力することを特徴とする。【００５０】
上記課題を解決するための第３９の発明は、上記第３４から第３８のいずれかの発明において、
前記蛍光ランプが消灯したことを検出する消灯検出部と、
前記消灯検出部が前記蛍光ランプが消灯したことを検出すると、前記蓄電部に保持されている電力を放出させる放電部と
を有することを特徴とする。【００５１】
上記課題を解決するための第４０の発明は、上記第３９の発明において、
前記消灯検出部は、前記電力取得部の出力電圧を監視し、該出力電圧が所定の電圧よりも低くなった場合に前記蛍光ランプが消灯したと判断することを特徴とする。【００５２】
上記課題を解決するための第４１の発明は、上記第３９の発明において、
前記消灯検出部は、前記整流部の出力電圧を監視し、その出力電圧が所定の電圧よりも低くなった場合に前記蛍光ランプが消灯したと判断することを特徴とする。【００５３】
上記課題を解決するための第４２の発明は、上記第３９の発明において、
前記消灯検出部は、前記電圧変換部の出力電圧を監視し、その出力電圧が所定の電圧よりも低くなった場合に前記蛍光ランプが消灯したと判断することを特徴とする。【００５４】
上記課題を解決するための第４３の発明は、上記第３４から第３８のいずれかの発明において、
前記蛍光ランプが消灯したことを検出する消灯検出部を有し、
前記蓄電部は、前記消灯検出部が前記蛍光ランプが消灯したことを検出すると、蓄電された電力の供給を開始すること
を特徴とする。【００５５】
上記課題を解決するための第４４の発明は、上記第３４の発明において、
所定のセンサ情報を検出すると、前記蓄電部から外部機器への電力供給を開始させる給電制御部を有することを特徴とする。【００５６】
上記課題を解決するための第４５の発明は、上記第３４の発明において、
所定のセンサ情報を検出した場合、もしくは所定の時間ごとに、前記蓄電部から外部機器への電力供給を開始させる給電制御部を有することを特徴とする。【００５７】
上記課題を解決するための第４６の発明は、上記第４４又は第４５の発明において、
前記センサ情報が、人が存在するか否かの情報であることを特徴とする。【００５８】
上記課題を解決するための第４７の発明は、上記第２３から第４６のいずれかの発明において、
前記電源取得部から供給される電力を用いて撮影する撮影部と、
前記電源取得部から供給される電力を用いて、前記撮影された画像データを送信する無線部と
を有することを特徴とする。【００５９】
上記課題を解決するための第４８の発明は、上記第２３から第４６のいずれかの発明において、
前記電源取得部から供給される電力を用いて撮影する撮影部と、
前記撮影された画像データが格納される格納部と、
前記電源取得部から供給される電力を用いて、前記格納部の画像データを送信する無線部と
を有することを特徴とする。【００６０】
上記課題を解決するための第４９の発明は、上記第４７又は第４８の発明において、
前記送信された画像データを監視サーバに送信する無線基地局と、
前記該無線基地局からの画像データを蓄積するサーバと
を有することを特徴とする。【００６１】
上記課題を解決するための第５０の発明は、
電源回路であって、
蛍光ランプを点灯するための電流が発生する磁界を利用して電力を取得する電力取得部と、
前記取得した電力を用いて信号を発信する発信機を接続するインターフェースと
を有することを特徴とする。【００６２】
上記課題を解決するための第５１の発明は、上記第５０の発明において、
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする。【００６３】
上記課題を解決するための第５２の発明は、
照明システムであって、
照明装置と、
前記照明装置の蛍光ランプを点灯するための電流が発生する磁界を利用して電力を取得する電力取得部と、
前記取得した電力を用いて動作する電気機器を接続するためのインターフェースと
を有することを特徴とする。【００６４】
上記課題を解決するための第５３の発明は、上記第５２の発明において、
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする。
【発明の効果】
【００６５】
本発明によると、屋内において電源設置コストを低減できることである。【００６６】
その理由は、電源の敷設工事をすることなく、既設の照明設備から電力を取得できるようになるからである。
【図面の簡単な説明】
【００６７】
【図１】第一の実施の形態における照明装置Ａ１と電源回路Ａ２の機能ブロックを示す図である。
【図２】第一の実施の形態の変形例１におけるエネルギー取得部Ａ５の構造を示す図である。
【図３】第一の実施の形態の変形例２におけるエネルギー取得部Ａ５の構造を示す図である。
【図４】第一の実施の形態の変形例２における内部回路Ａ８の機能ブロックを示す図である。
【図５】第一の実施の形態の変形例３における内部回路Ａ８の機能ブロックを示す図である。
【図６】第二の実施の形態における照明装置Ａ１と電源回路Ａ２の機能ブロックを示す図である。
【図７】第二の実施の形態におけるエネルギー取得部の構造を示す図である。
【図８】第二の実施の形態の変形例におけるエネルギー取得部の構造を示す図である。
【図９】第三の実施の形態におけるエネルギー取得部の構造を示す図である。
【図１０】第一の実施の形態の変形例４における内部回路ＡＡ１の機能ブロックを示す図である。
【図１１】第一の実施の形態の変形例６における電源回路Ａ２の構成を示す図である。
【図１２】第一の実施の形態の変形例７における内部回路ＡＣ１の機能ブロックを示す図である。
【図１３】第一の実施の形態の変形例８における内部回路ＡＤ１の機能ブロックを示す図である。
【図１４】第一の実施の形態の変形例９における内部回路ＡＥ１の機能ブロックを示す図である。
【図１５】第一の実施の形態の変形例９における内部回路ＡＥ１を利用した監視システムの構成を示す図である。
【図１６】第一の実施の形態の変形例９における電源回路ＡＦ３の構成を示す図である。
【図１７】第一の実施の形態の変形例９におけるカメラノードＡＦ２の構成を示す図である。
【図１８】第一の実施の形態の変形例９におけるカメラノードＡＩ１の構成を示す図である。
【図１９】第一の実施の形態の変形例１０におけるカメラノードＡＪ１の構成を示す図である。
【符号の説明】
【００６８】
Ａ１  照明装置
Ａ２  電源回路
Ａ３  安定器
Ａ４  蛍光ランプ
Ａ５  エネルギー取得部
Ａ６  エネルギー取得部接続インターフェース
Ａ７  外部機器接続インターフェース
Ａ８，ＡＡ１，ＡＣ１，ＡＤ１，ＡＥ１  内部回路
Ｂ１，Ｊ２_１，Ｊ２_２  磁性体
Ｂ２，Ｇ２，Ｉ１，Ｊ１  コイル
Ｂ３  ガラス管
Ｄ１  整流部
Ｄ２  電圧変換部
Ｅ１  蓄電部
Ｉ２  磁界の方向
Ｊ３  丸ピン
Ｊ４  留め具
ＡＡ２  電圧制限部
ＡＣ２  放電部
ＡＣ３  消灯検出部
ＡＤ２，ＡＥ２，ＡＪ２  供給制御部
ＡＤ３  Ｌi-ionバッテリ
ＡＤ４  スイッチ
ＡＥ３  人感センサ
ＡＦ１  照明器具
ＡＦ２，ＡＩ１，ＡＪ１  カメラノード
ＡＦ３  電源回路
ＡＨ１  制御部
ＡＨ２  ＣＣＤカメラ
ＡＨ３  無線通信部
ＡＪ３  タイマ
ＡＪ４  メモリ
【発明を実施するための最良の形態】
【００６９】
本発明の第１の実施の形態について図面を参照して詳細に説明する。【００７０】
図１は本発明における照明システムである照明装置Ａ１と電源回路Ａ２との機能ブロックを示すブロック図である。【００７１】
安定器Ａ３は蛍光ランプＡ４に交流電流を供給し、蛍光ランプＡ４は供給された交流電流によって点灯する。【００７２】
電源回路Ａ２は、エネルギー取得部Ａ５及び内部回路Ａ８を有する。エネルギー取得部接続インターフェースＡ６を介してエネルギー取得部Ａ５と内部回路Ａ８とが接続されており、外部機器接続インターフェースＡ７を介して内部回路Ａ８と外部機器とが接続されている。【００７３】
エネルギー取得部Ａ５は、蛍光ランプＡ４内部を流れる交流電流によって発生する磁界を利用してエネルギーを取得し、エネルギー取得部接続インターフェースＡ６を介して内部回路Ａ８に取得したエネルギーを伝達する。【００７４】
内部回路Ａ８はエネルギー取得部接続インターフェースＡ６を介して伝達されたエネルギーから外部機器を駆動するのに必要な電圧および電流を発生し、外部機器接続インターフェースＡ７を介して、外部機器に発生した電圧および電流を供給する。【００７５】
尚、外部機器として各種電気機器が想定できるが、以下の説明ではＢｌｕｅｔｏｏｔｈやＲＦＩＤ等の微弱電波を発信する発信機あるいは赤外線を発信する発信機を想定して説明する。【００７６】
<変形例１>
エネルギー取得部Ａ５の具体例としては、コイルが考えられる。【００７７】
図２は、本変形例におけるエネルギー取得部Ａ５の構成を示す図面である。【００７８】
ガラス管Ｂ３内を流れる交流電流はＩ２で示されている方向に磁界を発生させる。ガラス管Ｂ３内を流れる交流電流が発生させる磁界がコイルＩ１の中心を貫くようにコイルをガラス管Ｂ３の脇に設置される。そして、このコイルＩ１を貫く磁界が変化することにより誘導起電力を発生する。発生した誘導起電力が内部回路Ａ８へ供給される。【００７９】
なお、図２のコイルＩ１の巻き数は４ターンとなっているが、ターン数は４ターン以下でも以上でも構わず、任意の巻き数でよい。【００８０】
図３は、本変形例における内部回路Ａ８の構成を示す図である。【００８１】
内部回路Ａ８は、整流部Ｄ１と電圧変換部Ｄ２とを有する。内部回路Ａ８は、エネルギー取得部接続インターフェースＡ６を介して、エネルギー取得部Ａ５と接続している。また、内部回路Ａ８は、外部機器接続インターフェースＡ７を介して外部機器と接続している。【００８２】
整流部Ｄ１は、エネルギー取得部接続インターフェースＡ６を介して、エネルギー取得部Ａ５から取得した交流電圧を整流して、直流電圧を生成する。生成した直流電圧は電圧変換部Ｄ２に伝達され、電圧変換部Ｄ２はあらかじめ定められた値に電圧を変換し、外部機器接続インターフェースＡ７を介して変換した電圧を外部機器に供給する。【００８３】
<変形例２>
エネルギー取得部Ａ５の別の具体例としては、蛍光ランプのガラス管部分を一周する磁性体をコアとするコイルが考えられる。本変形例では、エネルギー取得部Ａ５が、蛍光ランプのガラス管部分を一周する磁性体をコアとするコイルである場合について説明する。【００８４】
図４は、本変形例におけるエネルギー取得部の構成を示す図面である。【００８５】
磁性体Ｂ１はガラス管Ｂ３を取り囲むように設置され、この磁性体Ｂ１に銅線を巻きつけることでコイルＢ２は構成されている。【００８６】
蛍光ランプＡ４の内部には交流電流が流れている。そのため、磁性体Ｂ１の中を通る磁束密度が変化し、コイルＢ２は誘導起電力を発生する。発生した誘導起電力が内部回路Ａ８へ供給される。【００８７】
本実施例の図面では磁性体が円筒状の場合を示しているが、磁性体の形状は円筒以外でも構わず、磁性体がガラス管を一周するように設置できればよい。【００８８】
また、コイルＢ２の巻き数は３ターンとしているが、巻き数は３ターン以上でも以下でも構わず、任意の巻き数でよい。【００８９】
<変形例３>
電源回路Ａ２に接続される外部機器には、平均消費電力は小さいが瞬間的に大きな電流を要求するタイプの機器が接続されることも想定される。このような場合、瞬間的には電源回路Ａ２の供給能力を超えてしまい、十分な電流を供給できない可能性が考えられる。そこで、本変形例では、瞬間的に大きな電流を要求するタイプの機器が接続されても、十分な電流を供給できるようにするために、蓄電部を構成させた場合について説明する。【００９０】
図５は、本変形例における内部回路Ａ８の構成を示す図である。【００９１】
内部回路Ａ８は、整流部Ｄ１、電圧変換部Ｄ２、及び蓄電部Ｅ１を有する。なお、整流部Ｄ１及び電圧変換部Ｄ２の機能は変形例１と同一であるため、説明を省略する。【００９２】
蓄電部Ｅ１はコンデンサで構成され、外部機器が大きな電力を必要としないときに充電され、外部機器が電力を必要とするときに一気に放電することで、瞬間的に大きな電力を外部機器に供給する。【００９３】
<変形例４>
エネルギー取得部Ａ５が取得できるエネルギーは、安定器Ａ３によって蛍光ランプＡ４に供給されている交流電流の振幅と周波数とに比例する。また、安定器Ａ３には様々な種類があり、蛍光ランプＡ４に供給する交流電流の振幅や周波数は安定器Ａ３によって変動する。【００９４】
例えば、蛍光ランプＡ４に供給する交流電流の振幅が小さく、周波数も低い安定器Ａ３に合せて電圧変換部Ｄ２を設計した場合、振幅が大きく周波数の高い安定器Ａ３によって点灯している蛍光ランプからエネルギーをエネルギー取得部Ａ５が取得した場合、電源回路Ａ２の整流部Ｄ１が出力する電圧が高くなり、電圧変換部Ｄ２が破損する可能性がある。そこで、本変形例では、振幅が大きく周波数の高い安定器Ａ３が供給する交流電流によって点灯している蛍光ランプＡ４から電力を取得している場合であっても、電圧変換部Ｄ２を保護する機能を追加した構成について説明する。【００９５】
図１０は、本変形例における内部回路ＡＡ１の構成を示す図である。
内部回路ＡＡ１は、整流部Ｄ１、電圧制限部ＡＡ２、電圧変換部Ｄ２、及び蓄電部Ｅ１を有する。なお、整流部Ｄ１及び電圧変換部Ｄ２の機能は変形例１と同一であり、蓄電部Ｅ１の機能は変形例３と同一であるため、説明を省略する。
電圧制限部ＡＡ２はツェナーダイオードで構成され、整流部Ｄ１から所定電圧よりも高い電圧が供給された場合には電圧を所定電圧に抑え、電圧変換部Ｄ２に所定電圧よりも高い電圧が入力されることを防ぐ。【００９６】
<変形例５>
上記変形例４で述べたように、安定器Ａ３には様々な種類があり、蛍光ランプＡ４に供給する交流電流の振幅や周波数は安定器Ａ３によって変動する。そのため、整流部Ｄ１が出力する直流電圧の値も変動し、電圧変換部Ｄ２に設定されている電圧変換部Ｄ２の出力電圧よりも高い電圧の場合や出力電圧よりも低い場合も考えられる。このように電圧変換部Ｄ２への入力電圧が出力電圧よりも高くなったり低くなったりすることを考慮し、電圧変換部Ｄ２には、入力電圧が出力電圧よりも低い場合には昇圧し、高い場合には降圧する昇降圧ＤＣ/ＤＣコンバータを電圧変換部として利用することが考えられる。【００９７】
なお、電圧変換部Ｄ２として利用する昇高圧ＤＣ/ＤＣコンバータを保護するために、変形例４で述べた電圧制限部ＡＡ２と組み合わせてもよい。【００９８】
<変形例６>
変形例４、５で述べたように安定器Ａ３には様々な種類があり、蛍光ランプＡ４に供給する交流電流の振幅や周波数は安定器Ａ３によって変動する。そのため、エネルギー取得部Ａ５が出力する交流電圧の値も変動し、安定器Ａ３によっては整流部Ｄ１の出力する直流電圧が、電圧変換部Ｄ２が昇圧可能な最低電圧を下回る場合が考えられる。そこで、本変形例ではこのような場合を想定した構成について説明する。【００９９】
図１１は、本変形例における電源回路Ａ２の構成を示す図面である。【０１００】
電源回路Ａ２は、磁性体Ｂ１、コイルＢ２、整流部Ｄ１、電圧制限部ＡＡ２、電圧変換部Ｄ２、蓄電部Ｅ１で構成される。なお、磁性体Ｂ１の機能は変形例２と同一であり、蓄電部Ｅ１の機能は変形例３と同一であるため、説明を省略する。【０１０１】
電圧変換部Ｄ１は、入力された電圧を降圧するＤＣ/ＤＣコンバータあるいはレギュレータであり、所定の出力電圧よりも高い電圧が入力されることを前提として設計されている。なお、ここでは説明のために出力電圧は３.３Ｖに定められているものとする。また、最大入力電圧は１０Ｖであるとする。【０１０２】
ＪＩＳ Ｃ ７６１７-２では、点灯試験時にインバータ用蛍光ランプに供給される電流は振幅(実効値)２５５mＡ、周波数４５ｋＨｚと規定している。また、市販されている安定器はＪＩＳ Ｃ ７６１７-２の規定よりも大きな振幅で高い周波数の交流電流を蛍光ランプに供給している。そこで、ＪＩＳ Ｃ ７６１７-２で規定された交流電流が蛍光ランプに供給されているときに、整流部Ｄ１に供給される交流電圧の振幅が３.３Ｖ以上になるようにコイルＢ２の巻き数を調整する。【０１０３】
整流部Ｄ１は全波整流回路で構成されており、整流部Ｄ１から出力される直流電圧は３.３Ｖ以上となる。この直流電圧は電圧変換部Ｄ１で降圧され、電圧変換部Ｄ１からは３.３Ｖの直流電圧が出力される。【０１０４】
先に述べたように蛍光ランプに供給される交流電流は、安定器によって変動する。そのため、ＪＩＳ Ｃ
７６１７-２の規定よりも振幅が大きく周波数の高い交流電流が供給されることが考えられ、場合によっては整流部Ｄ１から出力され、電圧変換部Ｄ１に入力される直流電圧が１０Ｖ以上になることが考えられる。そこで、電圧変換部Ｄ１を保護するために電圧制限部ＡＡ２を設けている。【０１０５】
電圧制限部ＡＡ２は、電圧変換部Ｄ１への入力電圧が電圧変換部Ｄ１の最大入力電圧１０Ｖを超えないように所定電圧である８Ｖに入力電圧をクランプする。【０１０６】
<変形例７>
内部回路ＡＡ１が蓄電部Ｅ１を有している場合、蛍光ランプが消灯した後も蓄電部は電力を保持し、徐々に電力を放出していく。そのため、電圧変換部Ｄ２の出力端子には徐々に下がっていく電圧が印加されている。その後、蛍光ランプが再点灯すると、整流部Ｄ１から直流電圧が供給され、電圧変換部Ｄ２から所定の電圧が出力される。【０１０７】
ただし、電圧変換部Ｄ２にＤＣ/ＤＣコンバータを利用した場合などには、出力端子にある一定の範囲にある電圧が印加された状態で整流部Ｄ１から直流電圧が印加されると電圧変換部Ｄ２が異常動作を起こすことが考えられる。【０１０８】
本変形例では、電圧変換部Ｄ２の異常動作を防ぐために消灯検出部と放電部とを追加した構成について説明する。【０１０９】
図１２は、本変形例における内部回路ＡＣ１の機能ブロックを示す図である。【０１１０】
内部回路ＡＣ１は、整流部Ｄ１、電圧変換部Ｄ２、蓄電部Ｅ１、放電部ＡＣ２、消灯検出部ＡＣ３によって構成されている。なお、整流部Ｄ１、電圧変換部Ｄ２、蓄電部Ｅ１の機能は変形例３と同一であるため、ここでの説明は省略する。【０１１１】
消灯検出部ＡＣ３は整流部Ｄ１が出力し、電圧変換部Ｄ２に入力される電圧をモニタしており、モニタしている電圧が規定の値以下になると放電部ＡＣ２に対して制御信号を送信する。【０１１２】
放電部ＡＣ２は消灯検出部からの制御信号を受信すると、コンデンサで構成されている蓄電部Ｅ１をグランドに接続し、保持している電力を放電させる。【０１１３】
なお、本変形例では、消灯検出部ＡＣ３は整流部Ｄ１の出力電圧をモニタする場合を用いて説明したが、モニタする電圧は整流部に入力される交流電圧の振幅でもよいし、電圧変換部の出力電圧でもよい。また消灯検出部ＡＣ３がモニタするのは電流でもよい。【０１１４】
<変形例８>
本変形例では、蓄電部Ｅ１にリチウムイオンバッテリなどを用いることによって、蛍光ランプが消灯した場合にも外部機器に電力を供給し続ける構成につちえ説明する。【０１１５】
図１３は、本変形例における内部回路ＡＤ１の構成を示す図面である。【０１１６】
内部回路ＡＤ１は、整流部Ｄ１、電圧変換部Ｄ２、供給制御部ＡＤ２、リチウムイオンバッテリＡＤ３によって構成されている。なお、整流部Ｄ１、電圧変換部Ｄ２の機能に関しては変形例３と同一であり、ここでは説明を省略する。【０１１７】
供給制御部ＡＤ２は、整流部Ｄ１から出力され電圧変換部Ｄ２に入力される電圧をモニタし、モニタされた電圧が所定の値以下になったらスイッチＡＤ４を操作して、リチウムイオンバッテリＡＤ３と電圧変換部Ｄ２を切り離す機能を有している。さらにモニタされた電圧が所定の値以上になったらスイッチＡＤ４を操作して、リチウムイオンバッテリＡＤ３と電圧変換部Ｄ２を接続する機能を有している。【０１１８】
リチウムイオンバッテリＡＤ３は、スイッチＡＤ４を介して電圧変換部Ｄ２と接続している間は電圧変換部Ｄ２から供給される電力で充電されながら、外部機器接続インターフェースＡ７を介して接続されている外部機器に電力を供給する。スイッチＡＤ４によって電圧変換部Ｄ２と切り離されている場合は、充電された電力を、外部機器接続インターフェースＡ７を介して接続されている外部機器に供給する。【０１１９】
蛍光ランプが消灯した場合、整流部Ｄ１が出力する電圧が低下し、電圧をモニタしている供給制御部ＡＤ２がそれを検出する。電圧低下を検出した供給制御部ＡＤ２はスイッチＡＤ４を操作して、リチウムイオンバッテリＡＤ３と電圧変換部Ｄ２とを切り離し、切り離されたリチウムイオンバッテリＡＤ３は充電された電力を外部機器に供給する。再び蛍光灯ランプが点灯すると、整流部Ｄ１が出力する電圧が上昇し、電圧をモニタしている供給制御部ＡＤ２がそれを検出する。電圧上昇を検出した供給制御部ＡＤ２はスイッチＡＤ４を操作して、リチウムイオンバッテリＡＤ３と電圧変換部Ｄ２とを接続し、リチウムイオンバッテリＡＤ３は電圧変換部Ｄ２が出力する電圧によって充電される。【０１２０】
<変形例９>
変形例８では、蛍光ランプが消灯しているかどうかを検出して電力供給の方法を切り替えているが、本実施例では蛍光ランプの消灯以外のコンテキスト情報を取得して電力供給を制御する構成について説明する。【０１２１】
図１４は、本変形例における内部回路ＡＥ１の構成を示す図面である。【０１２２】
内部回路ＡＥ１は、整流部Ｄ１、電圧変換部Ｄ２、供給制御部ＡＥ２、リチウムイオンバッテリＡＤ３によって構成されている。なお、整流部Ｄ１、電圧変換部Ｄ２の機能に関しては変形例３と同一であり、ここでは説明を省略する。【０１２３】
人感センサＡＥ３は、人の存在をセンシングしていて、人の存在を検出したら所定の電圧を供給制御部ＡＥ２に対して印加する。【０１２４】
供給制御部ＡＥ２は人感センサＡＥ３から電圧を印加されると、スイッチＡＤ４を操作して、外部機器接続インターフェースＡ７を介してリチウムイオンバッテリＡＤ３と外部機器を接続する。【０１２５】
尚、ここでは、外部機器として、ＢｌｕｅｔｏｏｔｈやＲＦＩＤ、無線ＬＡＮ等の微弱電波を発信する発信機あるいは天井に設置される防犯カメラ等を想定して説明する。【０１２６】
リチウムイオンバッテリＡＤ３は、蛍光ランプが点灯している間は電圧変換部Ｄ２から供給される電圧によって充電されながら外部機器と人感センサＡＥ３とに対して電力を供給する。一方、蛍光ランプが消灯している間は充電された電力を外部機器と人感センサＡＥ３とに対して供給する。【０１２７】
図１５は、本変形例の電源回路を用いた監視システムの概要を示す図である。【０１２８】
本システムは、カメラノードＡＦ２、電源回路ＡＦ３、無線基地局ＡＦ４、監視サーバＡＦ５によって構成されている。なお、説明の都合上、図面には二つのカメラノードしか記載されていないが、カメラノードの数に制限はない。同様に無線基地局ＡＦ４の数にも制限はない。【０１２９】
図１６は、電源回路ＡＦ３の構成を示す図である。【０１３０】
電源回路ＡＦ３は、磁性体Ｂ１、コイルＢ２、内部回路ＡＥ１によって構成されている。【０１３１】
図１７は、カメラノードの構成を示す図である。【０１３２】
カメラノードＡＦ２は、制御部ＡＨ１、ＣＣＤカメラＡＨ２、無線通信部ＡＨ３、ＣＣＤカメラＡＨ２によって構成されている。【０１３３】
制御部ＡＨ１は、電源回路接続インターフェースＡＨ５を介して電源回路ＡＦ３から電力が供給されると、ＣＣＤカメラＡＨ２を操作して写真を撮影し、撮影が完了したら撮影された画像データを、無線通信部ＡＨ３を介して無線基地局ＡＦ４に送信する。【０１３４】
画像データを送信された無線基地局ＡＦ４はカメラノードＡＦ２から送信された画像データを受信すると、画像データを監視サーバＡＦ５に送信する。監視サーバＡＦ５は無線基地局ＡＦ４から受信したデータを蓄積し、管理者がいつでも閲覧できるような状態にして保存する。【０１３５】
なお、本変形例ではカメラノードと電源回路を別体としたが、一体型としてもよい。図１８は、カメラノードと電源回路とを一体型にした場合の構成を示す図である。【０１３６】
<変形例１０>
変形例９のカメラノードＡＦ２およびＡＩ１では、ＣＣＤカメラＡＨ２によって撮影された画像データは、撮影されるたびに無線通信部ＡＨ３を用いて監視サーバＡＦ５に送信していた。本変形例では、カメラノード内にメモリを設けて撮影された画像データを一旦メモリに保存し、メモリ保存されたデータを定期的に監視サーバに送信する構成について説明する。【０１３７】
図１９は、本変形例のカメラノードの構成を示す図である。【０１３８】
カメラノードＡＪ１は、制御部ＡＨ１、ＣＣＤカメラＡＨ２、無線通信部ＡＨ３、ＣＣＤカメラＡＨ２、メモリＡＪ４、スイッチＡＤ４、リチウムイオンバッテリＡＤ３、電圧変換部Ｄ２、整流部Ｄ１、供給制御部ＡＪ２、タイマＡＪ３、人感センサＡＥ３によって構成されている。なお、制御部ＡＨ１、ＣＣＤカメラＡＨ２、無線通信部ＡＨ３、ＣＣＤカメラＡＨ２、スイッチＡＤ４、リチウムイオンバッテリＡＤ３、電圧変換部Ｄ２、整流部Ｄ１、人感センサＡＥ３の機能は変形例１１と同一であり、ここでは詳細な説明を省略する。【０１３９】
人感センサＡＥ３は、人の存在をセンシングしていて、人の存在を検出したら所定の電圧を供給制御部ＡＪ２に対して印加する。【０１４０】
人感センサＡＥ３から電圧を印加された供給制御部ＡＪ２は、スイッチＡＤ４を操作してリチウムイオンバッテリＡＤ３と制御部ＡＨ１を接続し、リチウムイオンバッテリＡＤ３から電力を供給された制御部ＡＨ１は動作を開始する。【０１４１】
制御部ＡＨ１はリチウムイオンバッテリＡＤ３から電力を供給されると、ＣＣＤカメラＡＨ２を操作して写真を撮影し、撮影が完了したら撮影した画像データをメモリＡＪ４に格納する。【０１４２】
タイマＡＪ３は所定の間隔で供給制御部ＡＪ２と制御部ＡＨ１に対して所定の電圧を印加する。タイマＡＪ３から電圧を印加された供給制御部ＡＪ２はスイッチＡＤ４を操作してリチウムイオンバッテリＡＤ３と制御部ＡＨ１を接続する。【０１４３】
タイマＡＪ３から所定の電圧を印加され、リチウムイオンバッテリＡＤ３から電力を供給された制御部ＡＨ１はメモリＡＪ４に格納されている画像データを読み出し、無線通信部ＡＨ３を介して無線基地局ＡＦ４に送信する。【０１４４】
<変形例１１>
安定器Ａ３の具体例として、インバータと呼ばれる電子式安定器が考えられる。このような電子式安定器は、蛍光ランプＡ４に商用電源の周波数（電力供給者から一般に供給される周波数：日本においては５０あるいは６０Ｈｚ）の交流電流を供給するのではなく、５０〜１００ｋＨｚの高周波の交流電流を供給する。エネルギー取得部Ａ５が上述の変形例１のように電磁誘導によって電力を取得する場合、取得できる電力量は蛍光ランプＡ４に流れる電流値と周波数に比例する。従って、電子式安定器を利用することにより、より多くの電力を取得できることが期待できる。【０１４５】
次に、本発明における第二の実施の形態について説明する。【０１４６】
上記した第一の実施の形態では、蛍光ランプのガラス管内部を流れる電流が発生させる磁場からエネルギーを取得する方法について記載したが、蛍光ランプＡ４と安定器Ａ３とを接続する電線に流れる電流から、エネルギーを取得する方法も考えられる。そこで、本実施の形態では、蛍光ランプＡ４と安定器Ａ３とを接続する電線に流れる電流から、エネルギーを取得する構成について説明する。【０１４７】
図６は、蛍光ランプＡ４と安定器Ａ３とを接続する電線からエネルギーを取得する場合の機能ブロックを示すブロック図である。【０１４８】
本実施の形態では、エネルギー取得部Ａ５は、蛍光灯Ａ４と安定器Ａ３との傍に設置される。【０１４９】
図７は、本実施の形態におけるエネルギー取得部の構造を示す図である。なお、説明のため、図では蛍光ランプＡ４のピンと電線が直接接続されているが、実際にはコネクタを利用して蛍光ランプＡ４と電線は接続される。【０１５０】
エネルギー取得部Ａ５は、コイルＧ２及び磁性体Ｇ３を有する。蛍光ランプＡ４のピンと安定器Ａ３とを接続する電線の内、どちらか片方が磁性体Ｇ３の内部を通過する。【０１５１】
これにより電線を流れる交流電流により発生する磁界が、コイルＧ２に誘導起電力を発生させ、電源回路Ａ２へ発生した電圧が伝達される。【０１５２】
本実施例の図面では磁性体が円筒状の場合を示しているが、磁性体の形状は円筒以外でも構わず、磁性体がガラス管を一周するように設置できればよい。【０１５３】
また、コイルＧ２の巻き数は３ターンとしているが、巻き数は３ターン以上でも以下でも構わず、任意の巻き数でよい。【０１５４】
更に、第一の実施の形態の変形例１と同様にコイルＧ２のみでエネルギー取得部Ａ５が構成されても構わない。この場合、電線内を流れる交流電流が発生させる磁界がコイルＧ２の中心を貫くようにコイルを電線の脇に設置される。【０１５５】
<変形例１>
第二の実施の形態では、蛍光ランプＡ４の二本のピンに接続されている電線のうち一方を磁性体Ｇ３の中に通すことでエネルギーを取得していたが、蛍光ランプＡ４の二本とも磁性体Ｇ３の中を通す構成が考えられる。そこで、本実施の形態では、蛍光ランプＡ４の二本とも磁性体Ｇ３の中を通す構成について説明する。【０１５６】
図８は本変形例におけるエネルギー取得部の構造を示す図である。【０１５７】
本変形例においても、エネルギー取得部Ａ５は、蛍光灯Ａ４と安定器Ａ３との傍に設置される。【０１５８】
エネルギー取得部Ａ５は、コイルＧ２及び磁性体Ｇ３を有する。蛍光ランプＡ４のピンと安定器Ａ３とを接続する両方の電線が磁性体Ｇ３の内部を通過する。【０１５９】
これにより電線を流れる交流電流により発生する磁界が、コイルＧ２に誘導起電力を発生させ、電源回路Ａ２へ発生した電圧が伝達される。【０１６０】
本変形例の図面では磁性体が円筒状の場合を示しているが、磁性体の形状は円筒以外でも構わず、磁性体がガラス管を一周するように設置できればよい。【０１６１】
また、コイルＧ２の巻き数は３ターンとしているが、巻き数は３ターン以上でも以下でも構わず、任意の巻き数でよい。【０１６２】
更に、第一の実施の形態の変形例１と同様にコイルＧ２のみでエネルギー取得部Ａ５が構成されても構わない。この場合、電線内を流れる交流電流が発生させる磁界がコイルＧ２の中心を貫くようにコイルを電線の脇に設置される。【０１６３】
次に、本発明の第三の実施の形態について説明する。【０１６４】
上記第一の形態では、一例として円筒状の磁性体を利用したが、磁性体を二つに分割し、蛍光ランプに接続する構成も考えられる。そこで、本実施の形態では、磁性体を二つに分割し、蛍光ランプに接続する構成について説明する。【０１６５】
図９は、本実施の形態における磁性体と蛍光ランプの接続形態を示す図である。【０１６６】
本実施の形態におけるエネルギー取得部は、二つに分割された磁性体Ｊ２_１及び磁性体Ｊ２_２とコイルＪ１とを有する。【０１６７】
二つに分割された磁性体Ｊ２_１及び磁性体Ｊ２_２をガラス管Ｂ３に取り付ける際には、例えば、磁性体Ｊ２_１と磁性体Ｊ２_２とがガラス管Ｂ３をはさみこむ形で合わせられ、磁性体Ｊ２_１又は磁性体Ｊ２_２に具備されている留め具Ｊ４と、留め具が具備されていない方の磁性体に具備されている丸ピンＪ３とを用いて固定される。尚、固定は、磁性体Ｊ２_１と磁性体Ｊ２_２とがガラス管Ｂ３をはさみこむ形で合わせられれば良いとする。また、磁性体が２つに分割された場合について説明したが、分割される数は任意の数であってよい。
【図１】
2007074849.tif 000003
【図２】
2007074849.tif 000004
【図３】
2007074849.tif 000005
【図４】
2007074849.tif 000006
【図５】
2007074849.tif 000007
【図６】
2007074849.tif 000008
【図７】
2007074849.tif 000009
【図８】
2007074849.tif 000010
【図９】
2007074849.tif 000011
【図１０】
2007074849.tif 000012
【図１１】
2007074849.tif 000013
【図１２】
2007074849.tif 000014
【図１３】
2007074849.tif 000015
【図１４】
2007074849.tif 000016
【図１５】
2007074849.tif 000017
【図１６】
2007074849.tif 000018
【図１７】
2007074849.tif 000019
【図１８】
2007074849.tif 000020
【図１９】
2007074849.tif 000021
【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
照明装置から電力を取得する電源回路であって、
前記照明装置の蛍光ランプを点灯するための電流によって発生する磁界を利用して電力を取得する電力取得部を有し、
前記電力取得部が、磁性体と、この磁性体に巻かれたコイルとを有し、
前記磁性体が、前記蛍光ランプを点灯させるための電流を前記蛍光ランプに供給する電線を取り囲むように取り付けられている
ことを特徴とする電源回路。
【請求項２】
前記照明装置が、前記蛍光ランプと、前記蛍光ランプを点灯させるための電流を発生させる安定器とで構成され、
前記電線は、前記蛍光ランプと前記安定器とを接続している
ことを特徴とする請求項１に記載の電源回路。
【請求項３】
前記蛍光ランプが商用電源よりも高い周波数の交流電流によって点灯する蛍光ランプである場合、前記電力取得部は、前記交流電流によって発生する磁界から電磁誘導によって電力を取得することを特徴とする請求項１に記載の電源回路。
【請求項４】
前記磁性体がリング状であることを特徴とする請求項１に記載の電源回路。
【請求項５】
前記磁性体が複数の磁性体から構成されていることを特徴とする請求項１に記載の電源回路。
【請求項６】
前記電力取得部から供給された交流電圧を直流電圧に整流する整流部を有することを特徴とする請求項１から請求項５のいずれかに記載の電源回路。
【請求項７】
前記整流部から供給された直流電圧を、所定の電圧に変換する電圧変換部を有していることを特徴とする請求項６に記載の電源回路。
【請求項８】
前記電力取得部から供給された電力を保持しておく蓄電部を有していることを特徴とする請求項１から請求項７のいずれかに記載の電源回路。
【請求項９】
前記整流部と前記電圧変換部との間に、前記整流部が出力する直流電圧を所定の値の電圧に制限する電圧制限部を有することを特徴とする請求項６から請求項８のいずれかに記載の電源回路。
【請求項１０】
前記電圧制限部は、ツェナーダイオードによって構成されていることを特徴とする請求項９に記載の電源回路。
【請求項１１】
前記電圧変換部は、所定の電圧よりも低い電圧が入力された場合にはその所定の電圧に昇圧し、所定の電圧よりも高い電圧が入力された場合にはその所定の電圧に降圧することを特徴とする請求項７から請求項１０のいずれかに記載の電源回路。
【請求項１２】
前記電圧変換部が、前記整流部からの直流電圧を降圧する構成である場合、
前記電力取得部は、前記整流部が前記電圧変換部に供給する交流電圧が、前記電圧変換部の出力電圧よりも高い電圧になるように調整して、前記整流部に交流電圧を出力することを特徴とする請求項７から請求項１１のいずれかに記載の電源回路。
【請求項１３】
前記蛍光ランプが消灯したことを検出する消灯検出部と、
前記消灯検出部が前記蛍光ランプが消灯したことを検出すると、前記蓄電部に保持されている電力を放出させる放電部と
を有することを特徴とする請求項８から請求項１２のいずれかに記載の電源回路。
【請求項１４】
前記消灯検出部は、前記電力取得部の出力電圧を監視し、該出力電圧が所定の電圧よりも低くなった場合に前記蛍光ランプが消灯したと判断することを特徴とする請求項１３に記載の電源回路。
【請求項１５】
前記消灯検出部は、前記整流部の出力電圧を監視し、その出力電圧が所定の電圧よりも低くなった場合に前記蛍光ランプが消灯したと判断することを特徴とする請求項１３に記載の電源回路。
【請求項１６】
前記消灯検出部は、前記電圧変換部の出力電圧を監視し、その出力電圧が所定の電圧よりも低くなった場合に前記蛍光ランプが消灯したと判断することを特徴とする請求項１３に記載の電源回路。
【請求項１７】
前記蛍光ランプが消灯したことを検出する消灯検出部を有し、
前記蓄電部は、前記消灯検出部が前記蛍光ランプが消灯したことを検出すると、蓄電された電力の供給を開始すること
を特徴とする請求項８から請求項１２のいずれかに記載の電源回路。
【請求項１８】
所定のセンサ情報を検出すると、前記蓄電部から外部機器への電力供給を開始させる給電制御部を有することを特徴とする請求項８に記載の電源回路。
【請求項１９】
所定のセンサ情報を検出した場合、もしくは所定の時間ごとに、前記蓄電部から外部機器への電力供給を開始させる給電制御部を有することを特徴とする請求項８に記載の電源回路。
【請求項２０】
前記センサ情報が、人が存在するか否かの情報であることを特徴とする請求項１８又は請求項１９に記載の電源回路。
【請求項２１】
照明装置から電力を取得する照明システムであって、
前記照明装置の蛍光ランプを点灯するための電流によって発生する磁界を利用して電力を取得する電力取得部を有し、
前記電力取得部が、磁性体とこの磁性体に巻かれたコイルとを有し、
前記磁性体が、前記蛍光ランプを点灯させるための電流を前記蛍光ランプに供給する電線を取り囲むように取り付けられること
を特徴とする照明システム。
【請求項２２】
前記照明装置が、前記蛍光ランプと、前記蛍光ランプを点灯させるための電流を発生させる安定器とで構成され、
前記電線が、前記蛍光ランプと前記安定器とを接続するものであること
を特徴とする請求項２１に記載の照明システム。
【請求項２３】
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする請求項２１に記載の照明システム。
【請求項２４】
前記磁性体がリング状であることを特徴とする請求項２１に記載の照明システム。
【請求項２５】
前記磁性体が複数の磁性体から構成されていることを特徴とする請求項２１に記載の照明システム。
【請求項２６】
前記電力取得部から供給された交流電圧を直流電圧に整流する整流部を有することを特徴とする請求項２１から請求項２５のいずれかに記載の照明システム。
【請求項２７】
前記整流部から供給された直流電圧を、所定の電圧に変換する電圧変換部を有していることを特徴とする請求項２６に記載の照明システム。
【請求項２８】
前記電力取得部から供給された電力を保持しておく蓄電部を有していることを特徴とする請求項２１から請求項２７のいずれかに記載の照明システム。
【請求項２９】
前記整流部と前記電圧変換部との間に、前記整流部が出力する直流電圧を所定の値の電圧に制限する電圧制限部を有することを特徴とする請求項２６から請求項２８のいずれかに記載の照明システム。
【請求項３０】
前記電圧制限部は、ツェナーダイオードによって構成されていることを特徴とする請求項２９に記載の照明システム。
【請求項３１】
前記電圧変換部は、所定の電圧よりも低い電圧が入力された場合にはその所定の電圧に昇圧し、所定の電圧よりも高い電圧が入力された場合にはその所定の電圧に降圧することを特徴とする請求項２７から請求項３０のいずれかに記載の照明システム。
【請求項３２】
前記電圧変換部が、前記整流部からの直流電圧を降圧する構成である場合、
前記電力取得部は、前記整流部が前記電圧変換部に供給する交流電圧が、前記電圧変換部の出力電圧よりも高い電圧になるように調整して、前記整流部に交流電圧を出力することを特徴とする請求項２７から請求項３１のいずれかに記載の照明システム。
【請求項３３】
前記蛍光ランプが消灯したことを検出する消灯検出部と、
前記消灯検出部が前記蛍光ランプが消灯したことを検出すると、前記蓄電部に保持されている電力を放出させる放電部と
を有することを特徴とする請求項２８から請求項３２のいずれかに記載の照明システム。
【請求項３４】
前記消灯検出部は、前記電力取得部の出力電圧を監視し、該出力電圧が所定の電圧よりも低くなった場合に前記蛍光ランプが消灯したと判断することを特徴とする請求項３３に記載の照明システム。
【請求項３５】
前記消灯検出部は、前記整流部の出力電圧を監視し、その出力電圧が所定の電圧よりも低くなった場合に前記蛍光ランプが消灯したと判断することを特徴とする請求項３３に記載の照明システム。
【請求項３６】
前記消灯検出部は、前記電圧変換部の出力電圧を監視し、その出力電圧が所定の電圧よりも低くなった場合に前記蛍光ランプが消灯したと判断することを特徴とする請求項３３に記載の照明システム。
【請求項３７】
前記蛍光ランプが消灯したことを検出する消灯検出部を有し、
前記蓄電部は、前記消灯検出部が前記蛍光ランプが消灯したことを検出すると、蓄電された電力の供給を開始すること
を特徴とする請求項２８から請求項３２のいずれかに記載の照明システム。
【請求項３８】
所定のセンサ情報を検出すると、前記蓄電部から外部機器への電力供給を開始させる給電制御部を有することを特徴とする請求項２８に記載の照明システム。
【請求項３９】
所定のセンサ情報を検出した場合、もしくは所定の時間ごとに、前記蓄電部から外部機器への電力供給を開始させる給電制御部を有することを特徴とする請求項２８に記載の照明システム。
【請求項４０】
前記センサ情報が、人が存在するか否かの情報であることを特徴とする請求項３８又は請求項３９に記載の照明システム。
【請求項４１】
前記電力取得部から供給される電力を用いて撮影する撮影部と、
前記電力取得部から供給される電力を用いて、前記撮影された画像データを送信する無線部と
を有することを特徴とする請求項２１から請求項４０のいずれかに記載の照明システム。
【請求項４２】
前記電力取得部から供給される電力を用いて撮影する撮影部と、
前記撮影された画像データが格納される格納部と、
前記電力取得部から供給される電力を用いて、前記格納部の画像データを送信する無線部と
を有することを特徴とする請求項２１から請求項４０のいずれかに記載の照明システム。
【請求項４３】
照明装置から電力を取得する電源回路であって、
前記照明装置の蛍光ランプを点灯するための電流が発生する磁界を利用して電力を取得する電力取得部と、
前記取得した電力を用いて信号を発信する発信機を接続するインターフェースと
を有し、
前記電力取得部が、磁性体とこの磁性体に巻かれたコイルとを有し、
前記磁性体が、前記蛍光ランプを点灯させるための電流を前記蛍光ランプに供給する電線を取り囲むように取り付けられること
を特徴とする電源回路。
【請求項４４】
前記照明装置が、前記蛍光ランプと、前記蛍光ランプを点灯させるための電流を発生させる安定器とで構成され、
前記電線が、前記蛍光ランプと前記安定器とを接続するものであること
を特徴とする請求項４３に記載の電源回路。
【請求項４５】
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする請求項４３に記載の電源回路。
【請求項４６】
照明装置から電力を取得する照明システムであって、
前記照明装置の蛍光ランプを点灯するための電流が発生する磁界を利用して電力を取得する電力取得部と、
前記取得した電力を用いて動作する電気機器を接続するためのインターフェースと
を有し、
前記電力取得部が、磁性体とこの磁性体に巻かれたコイルとを有し、
前記磁性体が、前記蛍光ランプを点灯させるための電流を前記蛍光ランプに供給する電線を取り囲むように取り付けられること
を特徴とする照明システム。
【請求項４７】
前記照明装置が、前記蛍光ランプと、前記蛍光ランプを点灯させるための電流を発生させる安定器とで構成され、
前記電線が、前記蛍光ランプと前記安定器とを接続するものであること
を特徴とする請求項４６に記載の照明システム。
【請求項４８】
前記蛍光ランプが商用電源よりも高い周波数の交流電流によって点灯する蛍光ランプである場合、
前記電力取得部は、前記交流電流によって発生する磁界から電磁誘導によって電力を取得することを特徴とする請求項４６に記載の照明システム。
【国際調査報告】
2007074849.tif 000022
2007074849.tif 000023
2007074849.tif 000024
2007074849.tif 000025
2007074849.tif 000026
2007074849.tif 000027
2007074849.tif 000028